(57)【特許請求の範囲】
【請求項１】
ＶｏＰシステム内で呼を処理する方法であって、前記システムは、制御モジュールを含む呼制御装置、複数のメディア・ゲートウェイ、入口チャネル、出口チャネル及びコア・パケット・ネットワークを含み、前記方法が、
入口チャネル上で、呼のコンテンツ、発信情報、および着信情報を有する呼を受信する工程、
前記発信情報に基づいて前記呼の発信ハーフ・コール・コンテクストを確立する工程であって、該発信ハーフ・コール・コンテクストが前記複数のメディア・ゲートウェイのうちの１つのメディア・ゲートウェイ内に着信ポイントを有する、工程、
前記呼制御装置の第１の制御モジュールによって前記呼の前記発信ハーフ・コール・コンテクストを制御する工程、
前記呼制御装置の第２の制御モジュールに前記呼の着信ハーフ・コール・コンテクストを確立するように命令する工程、
前記着信情報に基づいて前記呼の着信ハーフ・コール・コンテクストを確立する工程であって、該着信ハーフ・コール・コンテクストが前記複数のメディア・ゲートウェイのうちの第２のメディア・ゲートウェイ内に着信ポイントを有する、工程、
前記第２のモジュールが前記呼の着信ハーフ・コール・コンテクストを制御する工程、
前記第１および第２の制御モジュールによって各々の呼のコンテクストを制御する工程に基づいて前記呼のコンテンツを前記発信コンテクストから前記着信コンテクストに送信する工程、及び
前記呼のコンテンツを出口チャネル上でシステム外に送信する工程
を備える方法。
【請求項２】
前記発信ハーフ・コール・コンテクストを確立する工程がメディア・ゲートウェイ内で前記発信ハーフ・コール・コンテクストを確立する工程を含むことを特徴とする請求項１に記載の方法。
【請求項３】
前記着信ハーフ・コール・コンテクストを確立する工程がメディア・ゲートウェイ内で前記着信ハーフ・コール・コンテクストを確立する工程を含むことを特徴とする請求項１に記載の方法。
【請求項４】
前記発信ハーフ・コール・コンテクストが第１のメディア・ゲートウェイ内に存在し、前記着信ハーフ・コール・コンテクストが第２のメディア・ゲートウェイ内に存在することを特徴とする請求項１に記載の方法。
【請求項５】
前記発信ハーフ・コール・コンテクストがメディア・ゲートウェイ内に存在し、前記着信ハーフ・コール・コンテクストが同じメディア・ゲートウェイ内に存在することを特徴とする請求項１に記載の方法。
【請求項６】
ＶｏＰシステム内で呼を処理する装置であって、
呼のコンテンツを有する呼を受信する手段、
前記呼の発信ハーフ・コール・コンテクストを確立する手段であって、該発信ハーフ・コール・コンテクストが複数のメディア・ゲートウェイのうちの１つのメディア・ゲートウェイ内に着信ポイントを有する、手段、
前記呼の発信ハーフ・コール・コンテクストを制御する手段、
前記呼の着信ハーフ・コール・コンテクストを確立する手段であって、該着信ハーフ・コール・コンテクストが前記複数のメディア・ゲートウェイのうちの第２のメディア・ゲートウェイ内に着信ポイントを有する、手段、
前記呼の着信ハーフ・コール・コンテクストを制御する手段、
前記制御手段に基づいて前記呼のコンテンツを前記発信ハーフ・コール・コンテクストから前記着信ハーフ・コール・コンテクストに送信する手段、及び
前記呼のコンテンツを出口チャネル上でシステム外に送信する手段
を備えた装置。
【請求項７】
発信ハーフ・コール・コンテクストを確立する手段がメディア・ゲートウェイであることを特徴とする請求項６に記載の装置。
【請求項８】
前記発信ハーフ・コール・コンテクストが第１のメディア・ゲートウェイ内に存在し、前記着信ハーフ・コール・コンテクストが第２のメディア・ゲートウェイ内に存在することを特徴とする請求項６に記載の装置。
【請求項９】
前記発信ハーフ・コール・コンテクストがメディア・ゲートウェイ内に存在し、前記着信ハーフ・コール・コンテクストが同じメディア・ゲートウェイ内に存在することを特徴とする請求項６に記載の装置。
【請求項１０】
呼の監視を可能にする追加の呼のコンテクストをさらに含むことを特徴とする請求項６に記載の装置。
【請求項１１】
ＶｏＰシステム内で呼を処理する方法であって、前記システムは、制御モジュールを含む呼制御装置、メディア・ゲートウェイ、入口チャネル、出口チャネル及びコア・パケット・ネットワークを含み、前記方法が、
入口チャネル上で、呼のコンテンツ、発信情報、および着信情報を有する呼を受信する工程、
前記発信情報に基づいて前記呼の発信ハーフ・コール・コンテクストを確立する工程であって、該発信ハーフ・コール・コンテクストが前記メディア・ゲートウェイに着信ポイントを有する、工程、
前記呼制御装置の第１の制御モジュールによって前記呼の前記発信ハーフ・コール・コンテクストを制御する工程、
前記呼制御装置の第２の制御モジュールに前記呼の着信ハーフ・コール・コンテクストを確立するように命令する工程、
前記着信情報に基づいて前記呼の着信ハーフ・コール・コンテクストを確立する工程であって、該着信ハーフ・コール・コンテクストが前記メディア・ゲートウェイに着信ポイントを有する、工程、
前記第２のモジュールが前記呼の着信ハーフ・コール・コンテクストを制御する工程、
前記第１および第２の制御モジュールによって各々の呼のコンテクストを制御する工程に基づいて前記呼のコンテンツを前記発信コンテクストから前記着信コンテクストに送信する工程、及び
前記呼のコンテンツを出口チャネル上でシステム外に送信する工程
を備える方法。
【請求項１２】
ＶｏＰシステム内で呼を処理する装置であって、
呼のコンテンツを有する呼を受信する手段、
前記呼の発信ハーフ・コール・コンテクストを確立する手段であって、該発信ハーフ・コール・コンテクストがメディア・ゲートウェイに着信ポイントを有する、手段、
前記呼の発信ハーフ・コール・コンテクストを制御する手段、
前記呼の着信ハーフ・コール・コンテクストを確立する手段であって、該着信ハーフ・コール・コンテクストが前記メディア・ゲートウェイに着信ポイントを有する、手段、
前記呼の着信ハーフ・コール・コンテクストを制御する手段、
前記制御手段に基づいて前記呼のコンテンツを前記発信ハーフ・コール・コンテクストから前記着信ハーフ・コール・コンテクストに送信する手段、及び
前記呼のコンテンツを出口チャネル上でシステム外に送信する手段
を備えた装置。
【発明の詳細な説明】
【技術分野】
【０００１】
本発明は、ハーフ・コール・モデルを用いてコア・パケット・ネットワーク内の呼を処理する方法および装置に関する。より詳細には、本発明は呼を２つのハーフ・コール−発信ハーフ・コールと着信ハーフ・コール−とに分割することで移動体交換センタ（Ｍobile Ｓwitching Ｃenter：ＭＳＣ）のコア・パケット・ネットワーク内の呼処理を対象とする。この技法によって、呼の実行と処理の際の融通性が得られる。
【０００２】
本発明は特にコア・パケット・ネットワーク内の呼処理の分野を対象にし、特にそれに関して記述するが、本発明は他の分野と用途においても有用であることを理解されたい。例えば、本発明は異なる性格の呼を処理する共通の技法を実行することが望ましい他のネットワーク構成要素内での呼処理に使用できる。
【背景技術】
【０００３】
背景技術として、分散ＶｏＰシステム(distributed voice-over-packet system)は、コア・ネットワークとしてパケット・ベースのネットワークを使用する。そのようなシステムのコア・ネットワークは拡張交換網として機能し、呼を複数の外部インタフェース間で接続する。現在の標準の下では、内部インタフェースはＨ．２４８制御パラメータを用いてコア・ネットワーク内の諸要素を相互接続する。内部インタフェースを接続する一時的または暫定的な着信は、本明細書に参照として組み込まれたＨ．２４８プロトコル（ＩＴＵ−Ｔ  Ｈ．２４８．１  ゲートウェイ制御プロトコル・バージョン２）を用いてメディア・ゲートウェイによって選択される。この点に関して、呼制御装置はＨ．２４８プロトコルを使用するＶｏＰシステム内のメディア・ゲートウェイとインタフェースを共用する。
【０００４】
コア・パケット・ネットワークがさまざまな理由で構築されることが理解できよう。この点に関して、システムの入口チャネル(ingress channel)上の代表的なデータは時分割多重化（Ｔime Ｄivision Ｍultiplex：ＴＤＭ）フォーマットである。同様に、出口チャネル(egress channel)上のデータ・コンテンツもＴＤＭフォーマットである。ただし、ＴＤＭフォーマットの呼のコンテンツを広いエリアにわたって移送する移動体交換センタ（ＭＳＣ）などのネットワーク・スイッチを維持することは費用およびリソース割り当ての両方に関してきわめて高価であろう。より具体的には、ＴＤＭフォーマットは各々の呼がシステム内の専用チャネル上で伝送されることを必要とする。これは異常なほど多くのハードウェアを必要とし、リソースの効果的な利用法とはいえない。ただし、コア・パケット・ネットワークではシステムの入口でデータをＴＤＭフォーマットからパケット・フォーマットに変換してより効率的に処理できるようにすることができる。次いでパケット・データは出口でＴＤＭフォーマットに変換され、ＶｏＰシステム外に送信される。
【０００５】
図１を参照すると、分散ＶｏＰシステムのブロック図が示されている。システムは移動体交換センタ（ＭＳＣ）１０の形態をとり、呼制御装置またはソフト・スイッチ１２およびメディア・ゲートウェイ(media gateway)１４、１６、１８を含む。コア・パケット・ネットワーク２０はメディア・ゲートウェイ間の通信に使用される。やはり図から分かるように、入口チャネル２２が、システムの発信側に設けられている。同様に、出口チャネル２４および２６がシステムの着信側に提供される。呼は入口チャネル２２上で受信され、呼のコンテンツは呼制御装置１２の制御下でメディア・ゲートウェイによりそれを通過して処理される。上記のように、呼制御装置はＨ．２４８インタフェースを用いてメディア・ゲートウェイと通信し、コア・パケット・ネットワーク２０を通って伝送される呼のコンテンツはパケット・フォーマットである。
【０００６】
より具体的には、図２（移動体交換センタ（ＭＳＣ）１０の部分図）を参照すると、呼制御装置１２が制御モジュール３０および３２を含むことが分かる。通常の例では、呼はＭＳＣ１０によって受信され、ベアラ・トラフィック(bearer traffic)が入口チャネル２２上でメディア・ゲートウェイに提供される。呼制御装置１２には、より具体的には呼制御装置１２の制御モジュール３０には信号が提供される。呼制御モジュール３０によって呼が設定されると、制御は制御モジュール３２に引き継がれる。制御モジュール３２はメディア・ゲートウェイ１４およびメディア・ゲートウェイ１６と通信する。Ｈ．２４８プロトコルまたはその他のメディア・ゲートウェイ制御プロトコルがそのために使用されることを理解されたい。Ｈ．２４８プロトコルによって確立される着信とコンテクスト(context)とを介してメディア・ゲートウェイ１４からメディア・ゲートウェイ１６にベアラ・トラフィックが渡される。システムからの出口で、ベアラ・トラフィックは出口チャネル２４に沿って渡され、呼制御装置１２の制御モジュール３０から信号が出力される。
【０００７】
メディア・ゲートウェイはその内部に呼のコンテクストを設定しているということを理解されたい。例えば、呼のコンテクスト３３はメディア・ゲートウェイ１４内の着信ポイント３４および３５を含む。同様に、呼のコンテクスト３７はメディア・ゲートウェイ１６内の着信ポイント３８および３９を含む。これらの呼のコンテクストとそれに関連する着信接続の確立は当技術分野でよく知られている
【０００８】
とりわけ、図２のシステムは呼が呼制御装置内で単一の呼制御プロセスによって制御されていることを示す。さらに、制御の対象は呼の全体であって一部ではない。
【発明の開示】
【発明が解決しようとする課題】
【０００９】
図１および図２に示すシステムは、工業標準が規定する大半の場合に適切に動作する。ただし、この技術を用いても所望の処理内容に達しない特殊な場合もある。例えば、図３を参照すると、上記の呼処理への従来の手法は、同じメディア・ゲートウェイ内で発呼、着呼する呼を扱う時に、異なる呼のモデル（または手順）を必要とする。図に示すように、メディア・ゲートウェイ４０は同じ呼の同じメディア・ゲートウェイ内の入口チャネル４１と出口チャネル４３とを示す。Ｈ．２４８プロトコルを用いて、発信接続および着信接続４２および４４の呼のコンテクスト４６を設定することが必要である。入口および出口が同じメディア・ゲートウェイ上にある、または異なるメディア・ゲートウェイ上にある簡単な呼の異なるコール・モデルを維持することは比較的容易であるが、より進化したサービスを備えた複雑な呼について異なるコール・モデルを維持するにはかなりの努力が必要である。したがって、これらの状況では同じコール・モデルを使用することが望ましい。そうするためには、呼が同じメディア・ゲートウェイ４０上で発着信する場所で、着信ポイント４２および４８を含めてコンテクスト５２を確立しなければならず、また着信ポイント４４および５０を含めてコンテクスト５４を確立しなければならない。これで図２に示す同じコール・モデルを使用できる。これによって、先進機能を１つのコール・モデルのみに基づいて提供することができる。ただし、この目的を達成するために、呼処理中に追加のコンテクスト５２および５４が必要になった。
【００１０】
図１および２の従来の呼処理の手法では適切に扱われなかった他の特別な場合がマルチレグ呼(multi-leg call)、例えば、会議呼および被監視呼である。これらの機能は現在の通信システムに必要であるが、現在では、追加処理と費用を必要とする。
【００１１】
したがって、これらのさまざまな状況などに対処する点で融通性を実現する処理方法を求めることが望ましい。
【００１２】
本発明は上記の困難などを解決するハーフ・コール・モデルを用いてコア・パケット・ネットワーク内で呼を処理する新しい改良型方法を意図している。
【課題を解決するための手段】
【００１３】
ハーフ・コール・モデルを用いてコア・パケット・ネットワーク内で呼を処理する方法と装置とが提供される。
【００１４】
本発明の一態様では、前記方法は入口チャネル上で呼のコンテンツを有する呼を受信する工程と、前記呼の発信ハーフ・コール・コンテクストを確立する工程と、呼制御装置の第１の制御モジュールによって前記呼の発信ハーフ・コール・コンテクストを制御する工程と、前記呼制御装置の第２の制御モジュールに前記呼の着信ハーフ・コール・コンテクストを確立するように命令する工程と、前記呼の着信ハーフ・コール・コンテクストを確立する工程と、前記第２のモジュールが前記呼の着信ハーフ・コール・コンテクストを制御する工程と、前記第１および第２の制御モジュールを制御する工程に基づいて前記呼のコンテンツを前記発信ハーフ・コール・コンテクストから前記着信ハーフ・コール・コンテクストに送信する工程と、前記呼のコンテンツを出口チャネル上でシステム外に送信する工程とを含む。
【００１５】
本発明の別の態様では、前記発信ハーフ・コール・コンテクストを確立する工程はメディア・ゲートウェイ内で前記発信ハーフ・コール・コンテクストを確立する工程を含む。
【００１６】
本発明の別の態様では、前記着信ハーフ・コール・コンテクストを確立する工程はメディア・ゲートウェイ内で前記着信ハーフ・コール・コンテクストを確立する工程を含む。
【００１７】
本発明の別の態様では、呼のコンテンツを有する呼を受信する手段と、前記呼の発信ハーフ・コール・コンテクストを確立する手段と、前記呼の発信ハーフ・コール・コンテクストを制御する手段と、前記呼の着信ハーフ・コール・コンテクストを確立する手段と、前記呼の着信ハーフ・コール・コンテクストを制御する手段と、前記制御手段に基づいて前記呼のコンテンツを前記発信ハーフ・コール・コンテクストから前記着信ハーフ・コール・コンテクストに送信する手段と、前記呼のコンテンツを出口チャネル上でシステム外に送信する手段とを含む装置が提供される。
【００１８】
本発明の別の態様では、前記発信ハーフ・コール・コンテクストは第１のメディア・ゲートウェイ内に常駐し、前記着信ハーフ・コール・コンテクストは第２のメディア・ゲートウェイ内に常駐する。本発明の、別の態様では、発信ハーフ・コール・コンテクストはメディア・ゲートウェイに常駐し、着信ハーフ・コール・コンテクストが同じメディア・ゲートウェイに常駐する。
【００１９】
本発明の別の態様では、呼の監視を可能にするために追加の呼のコンテクストが確立される。
【００２０】
本発明の適用可能性のさらなる範囲は以下の説明から明らかになろう。ただし、本発明の好ましい実施形態を示す詳細な説明と具体的な例は例示のためにのみ記載されていることを理解されたい。本発明の精神と範囲とを逸脱することなく本発明にさまざまな変更と修正とを加えることができることは当業者には明らかであろう。
【００２１】
本発明は、以下により詳述するように、請求の範囲に特に指摘し、添付図面に示す本発明の意図された目的を達成する装置のさまざまな部分および方法の工程の構成、配置、および組み合わせに存する。
【発明を実施するための最良の形態】
【００２２】
本発明による分散ＶｏＰ（ＩＰまたはＡＴＭ）システムは、コア・ネットワークとしてパケット・ベースのネットワークを使用する。コア・ネットワークは拡張交換網として機能し、外部時分割多重化（ＴＤＭ）、インターネット・プロトコル（ＩＰ）または非同期転送モード（ＡＴＭ）ネットワークとのインタフェースをとるすべてのメディア・ゲートウェイを接続する。システム内を通過する呼は外部ネットワークに接続された入口インタフェースから指定のフォーマット（例えばＴＤＭ）でシステムに入る。コア・ネットワークを通って、パケット形式の呼は同じまたは他の外部ネットワークに接続された出口インタフェースに交換される。
【００２３】
とりわけ、本発明によれば、入口から出口までの完全な呼が発信側と着信側のハーフ・コール(half-call)に分割される。被監視呼または会議呼などのマルチレグ通信(multi-leg communication)のために複数の着信側を有することが可能である。各々のハーフ・コールは複数の着信先を備えたＨ．２４８コンテクストによって表される。発信ハーフ・コールのコンテクストは入口チャネルを表す着信先（ＴＤＭ、ＲＴＰまたはＡＴＭ）と、コア・ネットワーク内で着信ハーフ・コールへの接続を表す着信先を含む。着信ハーフ・コールのコンテクストは一般に、コア・ネットワークに接続された入口ハーフ・コールに接続された着信先と出口チャネルに対応する着信先の２つの着信先を有する。コア・ネットワークに接続された着信先は一時的なもので、呼の設定時にメディア・ゲートウェイによって選択される。入口または出口チャネルに接続された着信先はその着信先が呼制御装置内でプロビジョンされているか否かに応じて半永久的または一時的である。発信ハーフ・コール・コンテクストと着信ハーフ・コール・コンテクストは、別々に、すなわち、呼制御装置内の別々の制御モジュールによって制御されることを理解されたい。
【００２４】
本発明の好ましい実施形態を例示するためであって本発明を限定するためではない図面を参照すると、図４は本発明による好ましいシステム全体を示している。図に示すように、この例による分散ＶｏＰ（本発明によるインターネット（ＩＰ）または非同期転送モード（ＡＴＭ））システムは移動体交換センタ（ＭＳＣ）１００の形態をとる。移動体交換センタ（ＭＳＣ）１００は呼制御装置またはソフト・スイッチ１０２、メディア・ゲートウェイ１０４およびメディア・ゲートウェイ１０６を含む。また、システム１００内にはメディア・ゲートウェイがパケット技法を介して相互通信するためのコア・パケット・ネットワーク１０８が提供されている。
【００２５】
呼制御装置１０２はシステムの発信側の信号方式制御モジュール１１０とメディア・ゲートウェイ制御モジュール１１２とを含む。呼制御装置はシステムの着信側の信号方式制御モジュール１１４とメディア・ゲートウェイ制御モジュール１１６とを含む。
【００２６】
ある呼について、ベアラ・トラフィックを搬送する入口チャネル１１８上で呼のコンテンツがメディア・ゲートウェイ１０４に提供される。そのような呼の場合、メディア・ゲートウェイ１０４は着信ポイント１２２および１２４を有するハーフ・コール・コンテクスト１２０を確立する。着信ポイント１２２は入口チャネルに接続し、着信ポイント１２４はコア・パケット・ネットワークを介してメディア・ゲートウェイ１０６に接続する。メディア・ゲートウェイ１０６は着信ポイント１３２および１３４を有するハーフ・コール・コンテクスト１３０を確立する。図に示すように、着信ポイント１３２はコア・パケット・ネットワーク１０８を介してメディア・ゲートウェイ１０４に接続し、着信ポイント１３４はベアラ・トラフィックをネットワーク外部に提供する出口チャネル１３６に接続する。
【００２７】
信号方式に関して、着信呼は呼制御装置１０２に提供され、ＳＳ７信号方式などの適切な信号処理を施される。特に、信号は呼設定のために制御モジュール１１０によって受信される。着信チャネルとそのチャネルに終端するメディア・ゲートウェイを決定する前処理が制御モジュール１１０によって実行された後で、呼制御はメディア・ゲートウェイ制御モジュール１１２に引き継がれる。制御モジュール１１２はＨ．２４８プロトコルを用いてメディア・ゲートウェイ１０４と通信することで呼の発信側のハーフ・コール・コンテクストを作成する。呼の発信側のハーフ・コール・コンテクストの設定中に、信号方式制御モジュール１１０は発信コンテクスト１２０の終端と被呼者番号とに関する情報を制御モジュール１１４に知らせる。次いで制御モジュール１１４は出口チャネルを選択し、Ｈ．２４８プロトコルを用いてメディア・ゲートウェイ１０６と通信して呼の着信側のハーフ・コール・コンテクストを設定する。このようにして、呼はシステムによって同時に処理されるハーフ・コール構成要素に分割される。
【００２８】
呼またはハーフ・コールのコンテクストの確立が本開示を読めば当業者には明らかな知られている技法を用いて達成される。例えば、受信される呼は呼のコンテンツ（例えば、音声またはデータ）だけでなく１）発呼元（例えば呼の発信側）の電話番号（またはその他の識別番号）または装置、および２）宛先（例えば呼の着信側）の電話番号（またはその他の識別番号）または装置の情報も含む。次いでこの情報は呼制御装置と適切なメディア・ゲートウェイによって使用され、従来の呼のコンテクストを確立する従来の方法を用いてハーフ・コール・コンテクストが確立される。
【００２９】
呼の発信側のコンテクスト１２０と呼の着信側のコンテクスト１３０が確立されると、メディア・ゲートウェイ１０４および１０６に適切な信号方式が提供され、これらのメディア・ゲートウェイにコア・パケット・ネットワーク１０８を介して相互通信するように命令が出される。これでベアラ・トラフィックまたは呼のコンテンツがメディア・ゲートウェイ間で送信できる。呼がシステムの着信側に送信されると、ＳＳ７信号方式などの適切な信号方式がベアラ・トラフィックに沿ってシステムの出口ポイントに提供される。
【００３０】
とりわけ、呼処理のハーフ・コール・モデルを使用することでシステム内の融通性が実現できる。第１に、図５および６に関連して記載するように、本発明のハーフ・コール・モデルの手法を使用して呼処理の際に発生するいくつかの特殊な状況に対処できるという融通性がある。第２に、システム１００は必ずしも同じ物理システム内に収容されている必要はないという融通性がある。すなわち、ＭＳＣ１００は分散システムとして構築できる、したがって、呼の発信側の呼のコンテクストを１つの地理的ロケーションで確立でき、呼の着信側の呼のコンテクストを別の地理的ロケーションで確立できる。例えば、呼の発信側の呼のコンテクストを、制御モジュール１１０および１１２とメディア・ゲートウェイ１０４を用いて、イリノイ州シカゴで確立でき、呼の着信側の呼のコンテクストを、制御モジュール１１４および１１６とメディア・ゲートウェイ１０６を用いて、オハイオ州クリーブランドで確立できる。システムはまた単一の物理的ロケーションで従来の方法で構築できることを理解されたい。
【００３１】
上記の特殊な例については、図５を参照する。図５に示すように、メディア・ゲートウェイ１４０は入口チャネル１４１と出口チャネル１４３とを含む。本発明の原理によれば、入口チャネル１４１上でメディア・ゲートウェイに着信する呼は呼の発信側について確立されたハーフ・コール・コンテクスト１４２内で受け付けられる。ハーフ・コール・コンテクスト１４２は着信ポイント１４４および１４６を含む。着信ポイント１４４は入口チャネルに接続し、着信ポイント１４６は呼の着信側について設定されたコンテクストに接続する。この点に関して、呼の着信側についてハーフ・コール・コンテクスト１５０が確立される。ハーフ・コール・コンテクスト１５０は着信ポイント１５２および１５４を含む。
【００３２】
メディア・ゲートウェイ１４０は図４のメディア・ゲートウェイ１０４および１０６とほぼ同様の方法で動作することを理解されたい。この点に関して、呼の発信側についてコール・コンテクスト１４２が確立される。呼の着信側についてコール・コンテクスト１５０が確立される。呼制御装置からの信号方式は図４に示す信号方式と同様である。呼制御装置は別々の呼制御プロセスでハーフ・コールを制御する。唯一の本質的な違いは、同じメディア・ゲートウェイが呼の発信側のハーフ・コール・コンテクストと着信側の呼のハーフ・コール・コンテクストを保持しているということである。したがって、コア・パケット・ネットワークを介して呼のコンテンツを送信する必要はない。すなわち、メディア・ゲートウェイがそのように呼処理を実行することを選択した場合、発信側の呼のコンテクストから着信側の呼のコンテクストへ直接送信することができる。
【００３３】
メディア・ゲートウェイ１４０の構成および機能は以前から知られているが不適切な技法と比較して利点がある。とりわけ、メディア・ゲートウェイ１４０は他の呼処理に使用される一貫した手法を用いて確立される２つの呼のコンテンツのみを使用する。したがって、不要な処理と特別な例の処理は不要である
【００３４】
図６を参照すると、別の特別の例が示されている。上記のように、従来技術は呼監視状況ではさらなる費用と特殊な収容設備が必要となる。ただし、本発明を実施することで、本発明によって実現された一貫した手法を用いて好都合な呼監視技法を実施できる。
【００３５】
図に示すように、システム２００は入口コンテクスト２０２と出口コンテクスト２０４、２０６および２０８を含む。これらの入口および出口コンテクストは各々メディア・ゲートウェイの形態を取れるが、これらの確立されたコンテクストはすべて同じメディア・ゲートウェイ内にあってもよい。別法として、出口コンテクストだけが同じメディア・ゲートウェイを共用していてもよい。
【００３６】
またシステム内にはコンテクストの通信を可能にするコア・パケット・ネットワーク２１０が示されている。呼の発信側の出口チャネル２１２上でトラフィックがシステムに入力され、出口チャネル２１４、２１６および２１８上でシステムから出力される。
【００３７】
図に示すシステムでは、入口チャネル２１２上でシステムに着信する呼は着信ポイント２２０と２２２との間で設定された発信ハーフ・コール・コンテクスト２０２を有する、同様に、着信ハーフ・コール・コンテクスト２０４が着信ポイント２２８と２３０との間で設定される。これを達成するために、図４に関連して述べた原理が適用される。
【００３８】
この呼を監視するには、呼の発信側について確立されたハーフ・コール・コンテクストがそのまま「盗聴」される。第１に、２２２からの片方向通信の新しい着信ポイント２２４および２２０からの片方向通信の新しい着信ポイント２２６が発信コンテクスト２０２内に確立される。着信側では、着信ポイント２３２および２３４を用いてコンテクスト２０６が作成される。これによって、図に示すように、出口側から入口側へ、その結果、着信ポイント２２２および２２４の発信コンテクストを通って流れるトラフィックのコンテクスト２０６による監視が可能になる。
【００３９】
さらに、着信ポイント２３６および２３８を使用するためにコンテクスト２０８が設定される。図に示すように、コンテクスト２０８は入口チャネルからシステムに提供される情報を監視することができる。
【００４０】
本発明は本発明の開示を読めば当業者には明らかなさまざまなハードウェアおよびソフトウェア技法を用いてさまざまな方法で実施することができる。どの特定の実施も実施、設計者の目的などに使用される正確なネットワーク構成に依存する。
【００４１】
図７を参照すると、本発明による方法７００を示す流れ図が提供される。この方法は図４に示すようなシステム内のさまざまな構成要素によって実施される。
【００４２】
方法７００は最初に呼のコンテンツを有する呼を受信し、情報を発信し、情報を入口チャネル上で着信させる工程（工程７０２）を含む。次いで呼の発信ハーフ・コール・コンテクストが発信情報に基づいて確立される（工程７０４）。図４に関連して述べたようにこの呼のコンテンツを確立することができることを理解されたい。ハーフ・コール発信コンテクストが、呼制御装置の第１の制御モジュールからの上記の情報と信号方式に基づいてメディア・ゲートウェイによってメディア・ゲートウェイ内で作成される。呼の発信ハーフ・コール・コンテクストも呼制御装置の第１の制御モジュールによって制御される（工程７０６）。この制御は、よく知られているタスクの中でとりわけ、呼のコンテンツのシステムを通っての伝送の準備に関連する。
【００４３】
発信ハーフ・コール・コンテクストが確立されると、呼制御装置の第２の制御モジュールが呼の着信ハーフ・コール・コンテクストを確立するように命令される（工程７０８）。この命令は第１の制御モジュールから第２の制御モジュールへの信号方式の形式である。上記のように、第２の制御モジュールは第１の制御モジュールと同じ物理的ロケーションに存在してもしなくてもよい。この融通性によって、システムは自立型であるかまたは地理的領域にわたって分散される。その結果、着信情報および信号方式に基づいて呼の着信ハーフ・コール・コンテクストが確立される（工程７１０）。また、呼制御装置の第１および第２の制御モジュールからの上記の情報と信号方式に基づいて、着信ハーフ・コール・コンテクストがメディア・ゲートウェイによってメディア・ゲートウェイ内で作成される。着信ハーフ・コール・コンテクスト（例えば、着信ハーフ・コール・コンテクストを保持するメディア・ゲートウェイ）は発信ハーフ・コール・コンテクストと同じ物理システム内にあってもよいし、分散システム内の別の構成内にあってもよい。さらに、着信ハーフ・コール・コンテクストは発信ハーフ・コール・コンテクストと同じメディア・ゲートウェイ内にあってもよい。このシナリオとそれへの本発明の適用について図５を参照しながら詳述する。
【００４４】
呼の着信ハーフ・コール・コンテクストは第２の制御モジュールによって制御される（工程７１２）。この制御は、よく知られているタスクの中でとりわけ、システムを通っての呼のコンテンツの着信コンテクストへの伝送の準備に関連する。
【００４５】
適当な時期に、第１および第２の制御モジュールによる各々の呼のコンテクストの制御に基づいて発信コンテクストからの呼のコンテンツは着信コンテクストに送信される（工程７１４）。これは送信情報がパケット・フォーマットである呼制御装置の第１および第２の制御モジュールから提供される信号によって制御される。そのようなパケット・フォーマットに呼のコンテンツを作成する処理は当技術分野でよく知られている多数の方法で達成できる。図４に関連して説明したように、この伝送はコア・パケット・ネットワークを通って実行されてもよい。同様に、この伝送は図５に関連して説明したのと同じメディア・ゲートウェイ内で実行されてもよい。最後に、呼のコンテンツは出口チャネル上でシステム外に送信される。（工程７１６）。
【００４６】
上記の説明は本発明の特定の実施形態を開示したに過ぎず、本発明を限定するものではない。したがって、本発明は上記の実施形態にのみ限定されるものではない。逆に、当業者は本発明の範囲内の代替実施形態を思いつくであろう。
【図面の簡単な説明】
【００４７】
【図１】分散ＶｏＰを示すブロック図である。
【図２】図１の分散ＶｏＰの追加の詳細を示すブロック図である。
【図３】メディア・ゲートウェイ内の呼のコンテクストと接続または着信を示す図である。
【図４】本発明によるシステムを示すブロック図である。
【図５】本発明の機能を組み込んだメディア・ゲートウェイのブロック図である。
【図６】本発明の機能を組み込んだシステムの一部を示す図である。
【図７】本発明による方法を示す流れ図である。
【図１】
0004620390.tif 000002
【図２】
0004620390.tif 000003
【図３】
0004620390.tif 000004
【図４】
0004620390.tif 000005
【図５】
0004620390.tif 000006
【図６】
0004620390.tif 000007
【図７】
0004620390.tif 000008